(57)【特許請求の範囲】
【請求項１】
傾斜したハンガーレールにランナーを移動可能に支持し、前記ランナーからスラットを回動可能に吊下支持し、操作装置の操作により前記ランナーを移動させて前記スラットを引き出し及び畳み込み操作可能とするとともに、前記各スラットを角度調節可能とした縦型ブラインドにおいて、
前記各スラットの上端部には、該スラットの側縁と、該スラットより前記ハンガーレールの下端側に位置するスラットの吊下げフックとの引っ掛かりを防止する案内部を設け、前記案内部は、前記ハンガーレールの下端側に位置する下方のスラットの吊下げフックに当接した際に、該吊下げフックを回避するように前記スラットを回動させることを特徴とする縦型ブラインド。
【請求項２】
前記スラットを前記吊下げフックに吊下支持するハンガーの両端に前記案内部を設け、該案内部は、前記スラットおよび前記下方のスラットが重なり合う状態となったとき該下方のスラットから離れるように前記ハンガーの両端部が同ハンガーの長板状の面に対して鈍角となる方向に延伸されたものであり、前記下方のスラットの吊下げフックに対し鈍角面で当接することを特徴とする請求項１記載の縦型ブラインド。
【請求項３】
前記案内部は、前記スラットおよび前記下方のスラットが重なり合う状態となったとき該下方のスラットから離れるように前記スラットの上端両側部が同スラットの面に対して鈍角となる方向に折り曲げられたものであり、前記下方のスラットの吊下げフックに対し鈍角面で当接することを特徴とする請求項１記載の縦型ブラインド。
【請求項４】
前記案内部は、前記スラットおよび前記下方のスラットが重なり合う状態となったとき該下方のスラットから離れるように前記スラットの上端両側部に前記スラットの面に対して鈍角となる方向に延伸された案内片を取着したものであり、前記下方のスラットの吊下げフックに対し鈍角面で当接することを特徴とする請求項１記載の縦型ブラインド。
【請求項５】
前記スラットの上端部には、前記ハンガーを挿通する袋縫い部を形成し、前記案内部を前記袋縫い部の開口部を覆うように形成したことを特徴とする請求項２記載の縦型ブラインド。
【請求項６】
傾斜したハンガーレールにランナーを移動可能に支持し、前記ランナーからスラットを回動可能に吊下支持し、操作装置の操作により前記ランナーを移動させて前記スラットを引き出し及び畳み込み操作可能とするとともに、前記各スラットを角度調節可能とした縦型ブラインドにおいて、
前記各スラットの上端部には、該スラットの側縁と、該スラットより前記ハンガーレールの下端側に位置するスラットの吊下げフックとの引っ掛かりを防止する案内部を、前記スラットを前記吊下げフックに吊下支持するハンガーの端部に設け、前記案内部は、前記ハンガーレールの下端側に位置する下方のスラットの吊下げフックに当接する案内片であり、
前記スラットの上端部には、前記ハンガーを挿通する袋縫い部を形成し、前記案内片は前記袋縫い部の開口部を覆うように形成したことを特徴とする縦型ブラインド。
【発明の詳細な説明】
【０００１】
【発明の属する技術分野】
この発明は、ハンガーレールを傾斜した状態で窓枠に取着する縦型ブラインドに関するものである。
【０００２】
【従来の技術】
縦型ブラインドは、ハンガーレールから多数枚のスラットが同ハンガーレールに対しランナーを介して吊下支持され、同ハンガーレールに沿って移動可能に、かつ回動可能に支持されている。
【０００３】
ハンガーレール内にはスラットの移送装置及び角度調節装置が設けられ、ハンガーレールの一端から垂下される操作コードを操作することにより、スラットの引き出しあるいは畳み込み操作と、スラットの角度調節操作が可能である。
【０００４】
このような縦型ブラインドの一種類として、図７に示すように、ハンガーレール１が窓の上枠に沿って傾斜した状態で取着され、そのハンガーレール１から多数枚のスラット２が吊下支持されたものがある。
【０００５】
この縦型ブラインドのスラット２は、操作装置により例えばハンガーレール１の上部に向かって畳み込み可能に、かつ同位相で角度調節可能に構成される。
【０００６】
【発明が解決しようとする課題】
上記のような縦型ブラインドでは、各スラットを窓面に沿う方向に回動させた状態、すなわち全閉状態としてスラットを畳み込むとき、図７に示すように、隣り合うスラット２において、上方に位置するスラット２の上端部が下方に位置するスラット２の吊下げフック３に当接し、図８に示すように、やがて上方に位置するスラット２が傾いて、吊下げフック３から脱落するという問題点がある。
【０００７】
この発明の目的は、傾斜したハンガーレールからスラットを吊下支持した縦型ブラインドにおいて、スラットの畳み込み操作時にスラットの脱落を未然に防止し得る縦型ブラインドを提供することにある。
【０００８】
【課題を解決するための手段】
請求項１では、傾斜したハンガーレールにランナーを移動可能に支持し、前記ランナーからスラットを回動可能に吊下支持し、操作装置の操作により前記ランナーを移動させて前記スラットを引き出し及び畳み込み操作可能とするとともに、前記各スラットを角度調節可能とした縦型ブラインドにおいて、前記各スラットの上端部には、該スラットの側縁と、該スラットより前記ハンガーレールの下端側に位置するスラットの吊下げフックとの引っ掛かりを防止する案内部を設け、前記案内部は、前記ハンガーレールの下端側に位置する下方のスラットの吊下げフックに当接した際に、該吊下げフックを回避するように前記スラットを回動させる。
【０００９】
請求項２では、前記スラットを前記吊下げフックに吊下支持するハンガーの両端に前記案内部を設け、該案内部は、前記スラットおよび前記下方のスラットが重なり合う状態となったとき該下方のスラットから離れるように前記ハンガーの両側部が同ハンガーの長板状の面に対して鈍角となる方向に延伸されたものであり、前記下方のスラットの吊下げフックに対し鈍角面で当接する。
【００１０】
請求項３では、前記案内部は、前記スラットおよび前記下方のスラットが重なり合う状態となったとき該下方のスラットから離れるように前記スラットの上端両側部が同スラットの面に対して鈍角となる方向に折り曲げられたものであり、前記下方のスラットの吊下げフックに対し鈍角面で当接する。
請求項４では、前記案内部は、前記スラットおよび前記下方のスラットが重なり合う状態となったとき該下方のスラットから離れるように前記スラットの上端両側部に前記スラットの面に対して鈍角となる方向に延伸された案内片を取着したものであり、前記下方のスラットの吊下げフックに対し鈍角面で当接する。
【００１１】
請求項５および６では、前記スラットの上端部には、前記ハンガーを挿通する袋縫い部を形成し、前記案内片は前記袋縫い部の開口部を覆うように形成した。
【００１２】
【発明の実施の形態】
以下、この発明を具体化した縦型ブラインドの一実施の形態を図面に従って説明する。なお、前記従来例と同一構成部分は同一符号を付して説明する。
【００１３】
図１に示すように、ハンガーレール１は窓の上枠に沿って傾斜した状態で取着され、そのハンガーレール１内にはランナー４が移動可能に支持されている。前記各ランナー４の吊下軸５の下端には吊下げフック３が吊下支持されている。
【００１４】
前記吊下げフック３に吊下支持されるスラット２は、例えば合成樹脂膜あるいは厚布で構成され、袋状の上端部にハンガー６が挿通され、そのハンガー６の中央部に形成された掛止め部６ａがスラット２の上縁中央部に露出されている。そして、その掛止め部６ａが吊下げフック３に掛装されている。
【００１５】
従って、各ランナー４から吊下げフック３を介してスラット２が吊下支持されている。
前記ハンガーレール１の上端から第一及び第二の操作コード７，８が吊下支持されている。そして、第一の操作コード７の操作に基づいて、各ランナーがハンガーレール１に沿って移動され、スラット２の引き出し、あるいはハンガーレール１上端部への畳み込み操作が可能である。
【００１６】
また、第二の操作コード８の操作に基づいて、各ランナー４に貫通されたスラット駆動軸９が回転されて各ランナー４の吊下軸５が回転され、吊下げフック３を介して各スラット２が同位相で角度調節される。
【００１７】
前記ハンガー６は、図２に示すように、長板状に形成され、その両端部はスラット２の端縁から露出されるとともに、一方へ斜めに折り曲げられて、案内片１０が形成されている。
【００１８】
上記のように構成された縦型ブラインドでは、第一の操作コード７をスラット引き出し方向に操作すれば、ハンガーレール１内において最も下方に位置するランナー４から順次下方に移動して、各スラット２がハンガーレール１に沿って引き出される。
【００１９】
そして、各スラット２を引き出した後、第二の操作コード８を操作すると、スラット２が回動されて、採光量の調節が可能となる。
また、第一の操作コード７をスラット畳み込み方向に操作すれば、最も下方に位置するランナー４から順次上方に移動して、各スラット２がハンガーレール１の上端部に畳み込まれる。
【００２０】
このとき、スラット２を全閉状態すなわちハンガーレール１に沿う方向に維持した状態でスラット２を畳み込むと、図３に示すように、隣り合う２枚のスラット２において、上方に位置するスラット２の案内片１０が下方に位置するスラット２の吊下げフック３に当接する。
【００２１】
そして、両スラット２がさらに近接するとき、同図に矢印で示すように、案内片１０が吊下げフック３を回避して、やがてスラット２が重なり合う状態となる。従って、スラット２の側縁と吊下げフック３との引っ掛かりが防止される。
【００２２】
上記のように構成された縦型ブラインドでは、次に示す作用効果を得ることができる。
（１）スラット２を畳み込むとき、まず案内片１０が吊下げフック３に当接して、その鈍角面により吊下げフック３を回避するようにハンガー６が回動される。（２）案内片１０が吊下げフック３を回避するように回動するので、スラット端縁と吊下げフック３との引っ掛かりを防止することができる。
（３）スラット端縁と吊下げフック３との引っ掛かりを防止することができるので、スラット２の吊下げフック３からの脱落を防止することができる。
【００２３】
上記実施の形態は、次に示すように変更することもできる。
・前記案内片１０は、円弧状に折り曲げてもよい。
・図４に示すように、スラット２をアルミの薄板で構成した場合、そのスラット２の上縁両端部を折り曲げて、案内片１１を形成してもよい。
・図５に示すように、スラット２の上縁両端部に前記案内片１０に相当する形状の案内部１２を取着してもよい。
・図６に示すように、スラット２の上端部にハンガー６を挿通する袋縫い部１４を形成した場合、その袋縫い部１４の開口縁１５を覆うように案内片１３を形成する。このような構成により、前記実施の形態で得られた作用効果に加えて、袋縫い部１４の開口縁１５と吊下げフックとの引っ掛かりを確実に防止することができる。
【００２４】
【発明の効果】
以上詳述したように、この発明は傾斜したハンガーレールからスラットを吊下支持した縦型ブラインドにおいて、スラットの畳み込み操作時にスラットの脱落を未然に防止し得る縦型ブラインドを提供することができる。
【図面の簡単な説明】
【図１】  一実施の形態の縦型ブラインドを示す斜視図である。
【図２】  ハンガーを示す斜視図である。
【図３】  ハンガーの動作を示す説明図である。
【図４】  別例を示す斜視図である。
【図５】  別例を示す斜視図である。
【図６】  別例を示す斜視図である。
【図７】  従来例を示す概略図である。
【図８】  従来例を示す概略図である。
【符号の説明】
１          ハンガーレール
２          スラット
３          吊下げフック
４          ランナー
７          操作装置（第一の操作コード）
８          操作装置（第二の操作コード）
１０，１１        案内部（案内片）
１２        案内部
【図１】
0003803574.tif 000002
【図２】
0003803574.tif 000003
【図３】
0003803574.tif 000004
【図４】
0003803574.tif 000005
【図５】
0003803574.tif 000006
【図６】
0003803574.tif 000007
【図７】
0003803574.tif 000008
【図８】
0003803574.tif 000009